Podtech/llm-jp-corpus-v4-ja_patent huggingface dataset:
(57)【要約】【課題】衝突音を抑制するだけでなく、衝突により発生する衝撃力も緩和すること。【解決手段】ジャイロ式減揺機に於いて、４は、支柱５により揺動可能に支持されたジンバルケース、３は、ジンバルケースの側部を覆うサイドカバーであり、ジンバルケース４及びサイドカバー３により区画される内部空間には、モータ７により回転駆動されるフライホイール６が収納されている。ジンバル軸を支える転がり軸受では、保持器は、プレス成型により又は合成樹脂成型により形成してある。このように、保持器の質量が小さいことから、衝突音を抑制するだけでなく、衝突により発生する衝撃力も緩和し、保持器強度に有利に働く。【選択図】図１
2008008371.tif 000002
【特許請求の範囲】
【請求項１】
軸方向に振動若しくは揺動する装置に組込まれる転がり軸受において、
保持器は、プレス成型により又は合成樹脂成型により形成してあることを特徴とする転がり軸受。
【発明の詳細な説明】
【技術分野】
【０００１】
本発明は、軸方向に振動若しくは揺動する装置に組込まれる転がり軸受に関する。
【背景技術】
【０００２】
従来、ジンバル機構を利用して揺れを防止した装置に関する特許としては、特許文献１及び２に開示してあるように、装置・構造に関する特許は、出願されているが、軸受に関しては、今まで出願されていない。
【０００３】
このような装置に使用される軸受の保持器としては、耐久性を鑑みて、黄銅製のもみぬき保持器を採用している。
【０００４】
このような装置に使用される軸受には、構造上軸方向に振動・揺動による慣性力が発生する。保持器は、ポケットすきま分だけ軸方向に移動できることから、軸方向に装置が振動・揺動する際、慣性力により保持器が転動体に衝突することになる。
【０００５】
このような事情から、上述したように、従来の上記装置には、黄銅製もみぬき保持器が強度的に強い為、耐久性を考慮して採用されている。
【特許文献１】特開２００４−２４９８７９号公報
【特許文献２】特開２０００−３３７４３３号公報
【発明の開示】
【発明が解決しようとする課題】
【０００６】
しかしながら、黄銅製もみぬき保持器は、その質量が大きいことから、慣性力によって転動体と保持器が衝突する際、異常に大きな衝突音が発生するという問題点がある。
【０００７】
本発明は、上述したような事情に鑑みてなされたものであって、衝突音を抑制するだけでなく、衝突により発生する衝撃力も緩和することができる、転がり軸受を提供することを目的とする。
【課題を解決するための手段】
【０００８】
上記の目的を達成するため、本発明に係る転がり軸受は、軸方向に振動若しくは揺動する装置に組込まれる転がり軸受において、
保持器は、プレス成型により又は合成樹脂成型により形成してあることを特徴とする。
【発明の効果】
【０００９】
本発明によれば、保持器の質量が小さいことから、衝突音を抑制するだけでなく、衝突により発生する衝撃力も緩和し、保持器強度に有利に働く。
【００１０】
即ち、もみぬき保持器からプレス成型若しくは合成樹脂成型の保持器にすることで、保持器が軽量になり、保持器と転動体との衝突音を減少させ、また衝突エネルギーを小さく出来ることから、保持器自体の強度を低く抑えた設計が可能となり、コスト低減にも繋がる。
【発明を実施するための最良の形態】
【００１１】
以下、本発明の実施の形態に係る転がり軸受を図面を参照しつつ説明する。
【００１２】
図１は、本発明の実施の形態に係る転がり軸受を組み込むジャイロ式減揺機の模式図である。
【００１３】
モーメント制御手段を備えたジャイロ式減揺機に於いて、４は支柱５により揺動可能に支持されたジンバルケース、３は同ジンバルケースの側部を覆うサイドカバーであり、同ジンバルケース４及びサイドカバー３により区画される内部空間にはモータ７により回転駆動されるフライホイール６が収納されている。２は上記ジンバルケース４の左右に対置されたダンパであり、内部に収納されたシリコンオイルとダンパ部材（図示省略）との粘性摩擦により、上記ジンバルケース４の揺動を制御するものである。
【００１４】
１は上記ジンバルケース４の左右に、上記支柱５にボルトにて固定されるか、あるいは他の静止部材に固着されて設けられたエアダクトである。このエアダクト１は、一端が後述するサイドカバー３付け根部の空気吐出口８に向けて開口され、他端が上記左右のダンパ２，２に向けて開口されている。上記エアダクト１は、後述するように、その内部を冷却空気がダンパ２に向けて所定の流速で吹き出すように通流するため、出口端１ｂの開口面積を入口端１ａのそれよりも小さく形成している。また、同エアダクト１はそれ自体で放熱作用をなさしめるため、アルミニウム合金等の熱伝導性の良好な材料にて構成する。
【００１５】
さて、本実施の形態に係る転がり軸受は、軸方向に振動若しくは揺動する装置に組み込まれるが、具体的な使用例として、図１に示すような船舶の揺れを防止する減揺機のジンバル軸を支える転がり軸受に使用されている。
【００１６】
当該転がり軸受では、保持器は、プレス成型により又は合成樹脂成型により形成してある。
【００１７】
このように、本実施の形態によれば、保持器の質量が小さいことから、衝突音を抑制するだけでなく、衝突により発生する衝撃力も緩和し、保持器強度に有利に働く。
【００１８】
即ち、もみぬき保持器からプレス成型若しくは合成樹脂成型の保持器にすることで、保持器が軽量になり、保持器と転動体との衝突音を減少させ、また衝突エネルギーを小さく出来ることから、保持器自体の強度を低く抑えた設計が可能となり、コスト低減にも繋がる。
【００１９】
なお、本発明は、上述した実施の形態に限定されず、種々変形可能である。
【図面の簡単な説明】
【００２０】
【図１】本発明の実施の形態に係る転がり軸受を組み込むジャイロ式減揺機の模式図である。
【符号の説明】
【００２１】
１ エアダクト
１ａ 入口端
１ｂ 出口端
２ ダンパ
３ サイドカバー
４ ジンバルケース
５ 支柱
６ フライホイール
７ モータ
８ 空気吐出口
【図１】
2008008371.tif 000003
(57)【要約】【課題】外輪または内輪に油穴を設けた転がり軸受の生産効率を向上させることである。【解決手段】外輪１の内周軌道面６に、外輪１の外周面から内周軌道面６に貫通する油穴１０の開口よりも広い幅で、油穴１０開口位置を通る環状溝１１を設けることにより、この環状溝１１の加工を行うときに、油穴１０加工の際に内周軌道面６に生じるバリを効率よく除去できるようにして、従来の人手によるバリ除去作業を不要としたのである。【選択図】図１
2008008406.tif 000002
【特許請求の範囲】
【請求項１】
外輪または内輪にその外周面から内周面に貫通する油穴を設けた転がり軸受において、前記油穴を有する外輪または内輪の軌道面に、前記油穴の開口よりも広い幅で油穴開口位置を通る環状溝を設けたことを特徴とする転がり軸受。
【請求項２】
前記環状溝を、その幅が底部から開口に向かって広がる形状としたことを特徴とする請求項１に記載の転がり軸受。
【発明の詳細な説明】
【技術分野】
【０００１】
本発明は、外輪または内輪に油穴を設けた転がり軸受に関する。
【背景技術】
【０００２】
一般的な自動調心ころ軸受や自動調心玉軸受は、使用中に外部から潤滑剤を供給できるように、外輪にその外周面から内周面（軌道面）に貫通する油穴が設けられている（例えば、特許文献１参照。）。
【特許文献１】特開平１１−１４１５４３号公報
【０００３】
上記油穴の加工は、通常、図３（自動調心ころ軸受の例）に示す手順で行われている。すなわち、まず、図３（ａ）に示すように、外輪５１外周面の軸方向中央部に環状の油溝５２を形成し、次に、図３（ｂ）に示すように、油溝５２の底面から内周側の軌道面５３へ複数の油穴５４を貫通させる。このとき、油穴５４は外輪５１外周側から内周側へ形成されていくので、油穴５４貫通後には内周軌道面５３から突出するバリ５５が生じる。このバリ５５は軸受使用時に分離して軸受を損傷させるおそれがあるので、図３（ｃ）に示すように、最後の工程でバリ５５を一箇所ずつ手作業により除去して内周軌道面５３を仕上げている。
【０００４】
このため、外輪または内輪に油穴を設けた転がり軸受は、油穴加工の際のバリ除去作業に手間がかかり、生産効率が低いという難点がある。
【発明の開示】
【発明が解決しようとする課題】
【０００５】
本発明の課題は、外輪または内輪に油穴を設けた転がり軸受の生産効率を向上させることである。
【課題を解決するための手段】
【０００６】
上記の課題を解決するため、本発明は、外輪または内輪にその外周面から内周面に貫通する油穴を設けた転がり軸受において、前記油穴を有する外輪または内輪の軌道面に、前記油穴の開口よりも広い幅で油穴開口位置を通る環状溝を設けた構成を採用した。
【０００７】
すなわち、外輪または内輪の軌道面に、油穴の開口よりも広い幅で油穴開口位置を通る環状溝を設けることにより、この環状溝の加工を行うときに、油穴加工の際に軌道面に生じるバリを除去できるようにして、人手によるバリ除去作業を不要としたのである。
【０００８】
また、上記の構成において、前記環状溝を、その幅が底部から開口に向かって広がる形状とすれば、油穴から軸受内部に供給された潤滑剤を広範囲に飛散させて、潤滑効率を向上させることができる。
【発明の効果】
【０００９】
本発明は、上述したように、外輪または内輪に油穴を設けた転がり軸受の油穴加工の際に軌道面に生じるバリを、軌道面への環状溝加工により除去するようにしたので、従来の人手によるバリ除去作業をなくすことができ、転がり軸受の生産効率を向上させることができる。そして、この環状溝加工は従来のバリ除去作業よりも低コストで行えるので、軸受のコストダウンも図れる。
【００１０】
また、本発明を適用した転がり軸受は、外輪または内輪の軌道面の環状溝が潤滑剤溜りとなり、潤滑効率が向上するという効果もある。さらに環状溝を、その幅が底部から開口に向かって広がる形状とすれば、潤滑効率を一層向上させることができる。
【発明を実施するための最良の形態】
【００１１】
以下、図１および図２に基づき、本発明の実施形態を説明する。この転がり軸受は、図１に示すように、外輪１と、外輪１の内側に配される内輪２と、これらの両軌道輪１、２間に２列に配される球面ころ３と、各列のころ３をそれぞれほぼ等間隔に保持する保持器４、５とで構成される自動調心ころ軸受である。
【００１２】
前記外輪１はその内周に円弧状の軌道面６を有し、内輪２はその外周に一対の円弧状の軌道面７、８を有している。そして、外輪１の軌道面６と内輪２の各軌道面７、８との間に、球面ころ３が１列ずつ配されている。
【００１３】
また、前記外輪１の軸方向中央部には、外周面に環状の油溝９が設けられるとともに、この油溝９の底面から内周側に貫通する油穴１０が複数設けられ、軸受使用中に外部から軸受内部に潤滑剤を供給できるようになっている。そして、外輪１の内周軌道面６には、油穴１０の開口よりも広い幅の環状溝１１が、油穴１０の開口位置を通るように設けられている。この環状溝１１は、その幅が底部から開口に向かって広がる形状に形成され、油穴１０から軸受内部に供給された潤滑剤が広範囲に飛散するようになっている。
【００１４】
次に、図２に基づき、この軸受の外輪１への油穴加工の手順を説明する。まず、従来と同様に、外輪１外周面の軸方向中央部に油溝９を形成し（図２（ａ））、油溝９の底面から内周軌道面６へ油穴１０を貫通させる（図２（ｂ））。そして、最後の工程で、図２（ｃ）に示すように、内周軌道面６の軸方向中央部に環状溝１１を形成し、このときの溝加工により、図２（ｂ）の状態で内周軌道面６から突出しているバリ１２を除去する。
【００１５】
この転がり軸受は、上記の構成であり、外輪１の油穴１０加工の際に内周軌道面６に生じるバリ１２を軌道面６への環状溝１１加工により効率よく除去することができるので、従来よりも生産効率が高く、安価に製造できる。また、外輪１内周の環状溝１１が潤滑剤溜りとなるとともに、潤滑剤を広範囲に飛散させる形状に形成されているため、潤滑効率の面でも優れ、従来よりも長寿命である。
【００１６】
なお、本発明は、実施形態のように外輪に油穴を設けた自動調心ころ軸受に限らず、例えば自動調心玉軸受等、外輪または内輪に油穴を設けた転がり軸受であれば、軸受の種類によらず適用可能である。
【図面の簡単な説明】
【００１７】
【図１】実施形態の転がり軸受の正面断面図
【図２】ａ、ｂ、ｃは、それぞれ図１の軸受の外輪への加工手順の説明図
【図３】ａ、ｂ、ｃは、それぞれ従来の軸受の外輪への加工手順の説明図
【符号の説明】
【００１８】
１  外輪
２  内輪
３  ころ
４、５  保持器
６、７、８  軌道面
９  油溝
１０  油穴
１１  環状溝
１２  バリ
【図１】
2008008406.tif 000003
【図２】
2008008406.tif 000004
【図３】
2008008406.tif 000005
(57)【要約】【課題】  天然果実を取り付けることができる観賞用人口果樹を提案する。【解決手段】  観賞用人口果樹１０は、疑似幹１２と、その疑似幹１２に固着される疑似葉１４と、嵌合穴１６を有する疑似枝１８と、前記嵌合穴１６に挿入する棒状の果実保持部材２０とを備えるものである。また、果実保持部材２０には天然果実のリンゴ２２が後述の固定手段２４を用いて取り付けられている。これにより、リアルな人工果樹を提供することが可能となる。【選択図】  図１
2008156780.tif 000002
【特許請求の範囲】
【請求項１】
疑似幹と、その疑似幹に固着される疑似葉と、前記疑似幹に固着される疑似枝と、天然果実を保持する棒状の果実保持部材とを備える人工果樹であって、前記疑似枝に嵌合穴を設け、その嵌合穴に果実保持部材を固着させることを特徴とする観賞用人口果樹。
【発明の詳細な説明】
【技術分野】
【０００１】
本発明は、天然果実を取り付けた観賞用人工果樹に関する。
【背景技術】
【０００２】
従来から、オフィスなどの室内に観賞用果樹を置いて、室内空間をディスプレイする演出がなされていた。観賞用果樹をインテリアに使用することで、ヒーリング効果によるストレスなどの治癒が図られていた。しかし、観賞用果樹の生育および管理は困難であるため、管理に手間がかからない果樹の模造品、いわゆる人工果樹が多く使われていた。
【０００３】
しかし、従来の人工果樹は、果実も模造品からなるためリアル感を欠き、ヒーリング効果を十分得られないおそれがあった。従って、天然果実を取り付けたリアルな人工果樹が望ましいが、天然果実を人工的に取り付けることは困難であった。
【０００４】
現在のところ、天然果実を取り付けた人工果樹は提案されていないが、人工果樹と同様の効果が得られる人工観葉植物が提供されている（例えば、特許文献１及び特許文献２）。
【特許文献１】特開２００３−１２９３２０
【特許文献２】特開２０００−１７５９９７
【０００５】
特許文献１の人工観葉植物は、その各部品と付属品とを環境に配慮して再生材料で作成するものである。上記部品、例えば葉部やその茎部を合成樹脂で形成し、茎部を差し込むことができる穴を設けた天然木からなる幹部に取り付けて、人工観葉植物を形成するものであった。また、上記人工観葉植物では、市販のボンドを使用して茎部を幹部に取り付けていた。
【０００６】
また、特許文献２の人工観葉植物は、その表面に疑似葉を取付けるための多数の貫通孔を有する造形物を基材とするものである。上記疑似葉は樹脂製のものであり、その葉の茎部の根元を基材の貫通孔に差し込んで、取り付けるものである。
【０００７】
しかし、上記人工観葉植物は、葉部やその茎部を取り付ける場合に適したものであり、天然果実を取り付けることができるものではなかった。
【発明の開示】
【発明が解決しようとする課題】
【０００８】
本発明は、上述の問題を解決するために、天然果実を取り付けることができる観賞用人口果樹を提案することを目的とするものである。
【課題を解決するための手段】
【０００９】
本発明の観賞用人口果樹は、疑似幹と、その疑似幹に固着される疑似葉と、前記疑似幹に固着される疑似枝と、天然果実を保持する棒状の果実保持部材とを備える人工果樹であって、前記疑似枝に嵌合穴を設け、その嵌合穴に果実保持部材を固着させるようにしたものである。
【発明の効果】
【００１０】
本発明の観賞用人口果樹は、疑似枝に天然果実を取り付けるものである。これにより、リアルな人口果樹を提供することができ、ヒーリング効果を得ることができる。
【発明を実施するための最良の形態】
【００１１】
本発明は、天然果実の取り付けを可能にしたリアルな観賞用人口果樹の提供を実現するものである。
【実施例１】
【００１２】
本発明の観賞用人口果樹を図に基づいて説明する。図１は、本発明の観賞用人口果樹の構成部を示す図である。図２は、本発明の観賞用人口果樹の斜視図である。
本発明の観賞用人口果樹１０は、疑似幹１２と、その疑似幹１２に固着される疑似葉１４と、嵌合穴１６を有する疑似枝１８と、前記嵌合穴１６に挿入する棒状の果実保持部材２０とを備えるものである。また、果実保持部材２０には天然果実のリンゴ２２が後述の固定手段２４を用いて取り付けられている。
【００１３】
疑似枝１８は、合成樹脂からなるリンゴ２２の枝の模造品である。その疑似枝１８には、角ギリ又は丸ギリで形成された所定の大きさの嵌合穴１６が設けられている。
所定の長さの果実保持部材２０をその一端が疑似枝１８から突出するように嵌合穴１６に嵌入する。このとき、果実保持部材２０に一定の加重をかけても、果実保持部材２０が疑似枝１８から脱落しないように従来既知の固定手段（例えば木工用ボンドによる固定）より固着されているものとする。果実保持部材２０は、その下部先端部に天然果実のリンゴ２２を取り付けても、そのリンゴ２２の加重によっては疑似枝１８から外れることはなく、リンゴ２２を疑似枝１８に保持することができる。果実保持部材２０には、ゴム、合成樹脂、金属などからなる硬質の棒状のもの（筒状のものも含む）を用いる。
疑似枝１８にリンゴ２２を保持する棒状の果実保持部材２０を取り付けることにより、リンゴ２２が疑似枝１８にぶら下がっているようなリアルな人口果樹を形成することができる。
【００１４】
果実保持部材２０にリンゴ２２を取り付ける場合は、予めリンゴ２２のヘタ２６の先端の一部を角ギリ（三角ギリ）で刳り貫いてくり貫き部２８を設けておく。そのくり貫き部２８に固定手段としての木工用ボンド２４を注入し、当該くり貫き部２８を果実保持部材２０の下部先端部に当接させて、果実保持部材２０にリンゴ２２のヘタ２６を固定する。
【００１５】
上記木工用ボンド２４は簡易な固定手段として使用することができるが、これに限るものではない。例えば、ゴム又は合成樹脂からなる果実保持部材２０を用いる場合、果実保持部材２０の下部先端部をはんだこてを用いて溶かした後、その溶けた部分にくり貫き部２８を当接させ固定するようにしてもよい。また、ヒューム管などの筒状の金属管を用いる場合は、ヒューム管下部先端部の開口部からその管内にへた部２６を挿入した後に、その開口部を閉じるようにしてもよい。
【００１６】
なお、疑似幹１２には、リアルな人工果樹を得るためにリンゴ２２の天然木の枝を用いる。疑似葉１４には、合成樹脂からなる模造品を用いる。疑似葉１４に、天然木の葉を利用すると、腐食によりその葉が日毎に枯れ落ち、果樹の形態を維持することができないという問題が生じる。天然木の葉を利用するは、管理に手間がかからないという人工果樹のメリットを損なう結果となり好ましくない。但し、模造品に限定するものではない。
【図面の簡単な説明】
【００１７】
【図１】本発明の観賞用人口果実樹の構成部を示す図である。
【図２】本発明の観賞用人口果実樹の斜視図である。
【符号の説明】
【００１８】
１０  観賞用人工果樹
１２  疑似幹
１４  疑似葉
１６  嵌合穴
１８  疑似枝
２０  果実保持部材  
２２  リンゴ
【図１】
2008156780.tif 000003
【図２】
2008156780.tif 000004
(57)【要約】【課題】簡易な構造の男性用シャワートイレ装置を提供することを目的とする。【解決手段】前面側に開口する縁１０を有する便器１２を備え、縁１０の上側には、下方に水を噴出可能なシャワーノズル１４が設けられていることを特徴とする男性用シャワートイレ装置である。シャワーノズル１４は、便器１２内の洗浄用水の流動管１６から分岐された分岐菅１８に接続されている。また、シャワーノズル１４は、便器内に向かって垂直方向に対して１〜１０度傾斜しても良い。【選択図】図２
2008156965.tif 000002
【特許請求の範囲】
【請求項１】
前面側に開口する縁を有する便器を備え、
前記縁の上側には、下方に水を噴出可能なシャワーノズルが設けられていることを特徴とする男性用シャワートイレ装置。
【請求項２】
前記シャワーノズルは、前記便器内の洗浄用水の流動管から分岐された分岐菅に接続されていることを特徴とする請求項１記載の男性用シャワートイレ装置。
【請求項３】
前記シャワーノズルは、便器内に向かって垂直方向に対して１〜１０度傾斜していることを特徴とする請求項１又は２記載の男性用シャワートイレ装置。
【発明の詳細な説明】
【技術分野】
【０００１】
本発明は、排尿後に陰茎の洗浄が可能な男性用シャワートイレ装置に関する。
【背景技術】
【０００２】
一般に、男性用トイレ装置として、立ちながら小便を行なうことが可能なように、前面側に開口する縁を有する便器を備えたものがある（特許文献１）。一方、様式トイレにおいては、近年、排便後や排尿後に肛門や陰部に向けてシャワーを噴出することによって、肛門や陰部の洗浄を行なうシャワートイレが利用されている。
【０００３】
【特許文献１】特開２００５−１７９９１１号公報
【発明の開示】
【発明が解決しようとする課題】
【０００４】
しかしながら、上述した男性用トイレ装置においては、シャワートイレがなく、排尿した後に陰茎を洗浄することができないという問題がある。そこで、本発明は、簡易な構造の男性用シャワートイレ装置を提供することを目的とする。
【課題を解決するための手段】
【０００５】
以上の目的を達成するため、本発明は、前面側に開口する縁を有する便器を備え、前記縁の上側には、下方に水を噴出可能なシャワーノズルが設けられていることを特徴とする男性用シャワートイレ装置である。
【０００６】
以上のような構造により、本発明に係る男性用シャワートイレ装置は、簡易な構造により、シャワーを噴出することができる。
【０００７】
本発明に係る男性用シャワートイレにおいて、前記シャワーノズルは、前記便器内の洗浄用水の流動管から分岐された分岐菅に接続されていることが好ましく、前記シャワーノズルは、便器内に向かって垂直方向に対して１〜１０度、好ましくは１〜３度傾斜しても良い。
【発明の効果】
【０００８】
以上のように、本発明によれば、簡易な構造の男性用シャワートイレ装置を提供することができる。
【発明を実施するための最良の形態】
【０００９】
次に、本発明に係る男性用シャワートイレ装置の実施例について図面に基づいて説明する。図１は、本実施例に係る男性用シャワートイレ装置の斜視図であり、図２は、その側面断面図である。
【００１０】
本実施例に係る男性用シャワートイレ装置は、前面側に開口する縁１０を有する便器１２を備えている。この縁１０の上側には、下方に水を噴出可能なシャワーノズル１４が設けられている。このシャワーノズル１４は、便器１２内の洗浄用水の流動管１６から分岐された分岐菅１８に接続されている。本実施例に係る男性用シャワートイレ装置において、シャワーノズル１４は、鉛直下向に設置されている。
【００１１】
本実施例に係る男性用シャワートイレ装置は、小便後に流動管１６を介して洗浄用水を便器１２内に排出させると、分岐菅１８に水が分流され、シャワーノズル１４から水が下方に噴出する。その噴出された水を陰茎に当てることによって、陰茎の洗浄を行なうことができる。
【００１２】
本実施例に係る男性用シャワートイレ装置において、シャワーノズル１４は、鉛直下向に設置されているが、図３に示すように、便器内に向かって垂直方向に対して１〜１０度、好ましくは１〜３度傾斜させて設置しても良い。このように便器内に向けて若干傾斜させることによって、シャワーノズル１４から噴出する水が便器１２の外にはみ出ることを防止できる。
【図面の簡単な説明】
【００１３】
【図１】本発明に係る男性用シャワートイレ装置の実施例の斜視図である。
【図２】本実施例に係る男性用シャワートイレ装置の側面断面図である。
【図３】本発明に係る男性用シャワートイレ装置の他の実施例の側面断面図である。
【符号の説明】
【００１４】
１０   縁
１２   便器
１４   シャワーノズル
１６   流動管
１８   分岐菅
【図１】
2008156965.tif 000003
【図２】
2008156965.tif 000004
【図３】
2008156965.tif 000005
(57)【要約】【課題】一枚の洋服で幾通りにも異なったおしゃれを楽しむことができるように考案された洋服を提供する。【解決手段】洋服の前と後ろを同一の形状で裁断することにより、一枚の洋服を２倍にも４倍にもおしゃれを楽しむことができる。それによって、旅行などに行く際に、洋服の荷物が軽減される。【選択図】図１
2008156805.tif 000002
【特許請求の範囲】
【請求項１】
洋服の前後が同一の裁断で構成された洋服
【発明の詳細な説明】
【技術分野】
【０００１】本発明は、洋服に関するものであり、洋服の前後が同一の裁断で構成された洋服に関するものである。
【背景技術】
【０００２】従来、洋服はその前と後ろではそれぞれ異なった裁断で構成されていた。
【発明の開示】
【発明が解決しようとする課題】
【０００３】しかし、従来のような洋服ではその前と後ろで一体としてデザインされているため、さらにおしゃれを謳歌するためには物足りなかった。
【課題を解決するための手段】
【０００４】この課題を解決するための請求項１の発明は、洋服の前後が同一の裁断で構成された洋服であるため、いつでも洋服の前と後ろを着替えることができるので一枚の洋服で２倍のおしゃれを謳歌できるのである。
【発明の効果】
【０００５】本発明により、一枚の洋服で前と後ろで異なったデザインを施せば、一枚の洋服で２倍のおしゃれを楽しむことができる。また、洋服の裏の前と後ろにも異なったデザインを施せば、一枚の洋服で４倍のおしゃれを楽しむことができる。旅行にいく際にも、男女を問わず洋服の荷物がかさ張らなくてよい。
【発明を実施するための最良の方法】
【０００６】別々に構成された洋服の前の部分と洋服の後ろの部分を縫合させる。
本発明は、以上のような構造である。
【０００７】これら洋服は、セーター、ワンピース、Ｔシャツなど、どのような洋服でもよい。
また、体型に合わせて、洋服の前と後ろの合体する部分にマチを装着して、洋服に幅を持たせ、ゆとりを持たすのもよい。
【産業上の利用可能性】本発明に係る洋服は、工業的に量産することが可能であるため、産業上の利用可能性を有する。
【図面の簡単な説明】
【０００８】
【図１】洋服の前の部分の斜視図である。
【図２】洋服の後ろの部分の斜視図である。
【図３】洋服の前の部分と後ろの部分を合体させた状態の斜視図である。
【符号の説明】
【０００９】１    洋服の前の部分
２    洋服の後ろの部分
３    洋服の前の部分１と後ろの部分２を合体させた状態の斜視図
【図１】
2008156805.tif 000003
【図２】
2008156805.tif 000004
【図３】
2008156805.tif 000005
(57)【要約】【課題】  従来の両面テープは、剥離紙除去の作業に際し、剥離紙と粘着剤付きの芯材が全面にわたって密着していたために、爪を立てて、剥がしやすい場所を探すなど、若干の経験的な技術を要したが、本発明では、剥離紙除去の手作業を容易にするとともに、機械による除去を可能にすることを課題とする。【解決手段】  上記課題の解決の手段として、請求項１の自動的に剥離紙の端が捲れ上がる両面テープは、ロールから取り出して圧着された後、予め、折り目、または、湾曲の弾性変形が与えられた剥離紙の端が、自動的に捲れ上がって、指の爪で剥離紙を起こさずとも除去できる他、側面からの風圧や機械的接触を受けやすい形状によって、機械による自動化された除去を可能にする。  請求項１のような両面テープを製造するには、請求項２のように、粘着剤付きの芯材へ圧着以前の剥離紙に、折り目、または、湾曲の弾性変形を与え、次に、弾性変形の与えられた剥離紙を平らにしながら粘着剤付きの芯材に圧着して巻き取り、それを製品の幅に裁断する。【選択図】図１
2008156583.tif 000002
【特許請求の範囲】
【請求項１】
剥離紙に予め折り目、または、湾曲の弾性変形がつけられているために、平らに巻き取られたロールから取り出して対象物に貼ると、剥離紙の端が自動的に捲れ上がり、剥離紙の除去が容易となる両面テープ。
【請求項２】
請求項１にある両面テープの製造に際し、粘着剤付きの芯材へ圧着以前の剥離紙に、折り目、または、湾曲の弾性変形を与え、次に、弾性変形を与えられた剥離紙を平らにしながら、粘着剤付きの芯材に圧着して巻き取るという製造方法。
【発明の詳細な説明】
【技術分野】
【０００１】  本発明は、貼り終えた両面テープの剥離紙の除去を容易にするための技術に関する。
【背景技術】
【０００２】  従来の両面テープは、剥離紙除去の作業に際し、剥離紙と粘着剤付きの芯材が、全面にわたって密着していたために、側面から剥離紙を除去しようとすると、指の爪にかける部分が探しにくく、粘着剤付きの芯材まで爪で傷めることがあった他、剥離紙の除去を機械によって自動化することが困難であった。
【発明の開示】
【発明が解決しようとする課題】
【０００３】  従来の両面テープは、剥離紙除去の作業に際し、剥離紙と粘着剤付きの芯材が全面にわたって密着していたために、指の爪を立てて剥離紙を除去するなど、若干の経験的な技術を要したが、本発明では、剥離紙除去の手作業を容易にするとともに、機械による除去を可能にすることを課題とする。
【課題を解決するための手段】
【０００４】  上記課題の解決の手段として、請求項１の、自動的に剥離紙の端が捲れ上がる両面テープは、ロールから取り出して対象物に貼り付けると、予め、折り目、または、湾曲の弾性変形が与えられた剥離紙の端が、自動的に捲れて、指の爪で剥離紙を起こさずとも除去できる他、側面からの風圧や機械的接触を受けやすい形状によって、機械による自動化された除去を可能にする。
請求項１のような両面テープを製造するには、請求項２のように、粘着剤付きの芯材へ圧着する以前の剥離紙に、折り目、または、湾曲の弾性変形を与え、次に、弾性変形の与えられた剥離紙を平らにしながら粘着剤付きの芯材に圧着して巻き取り、それを製品の幅に裁断する。
【発明の効果】
【０００５】  請求項１に示されている発明は、使用時に剥離紙の端が自動的に捲れ上がるため、指先の爪を立てずとも、手で払えば除去でき、機械による自動化された剥離紙除去にも対応が可能となる他、請求項２の製造方法において、剥離紙に折り目、または、湾曲の弾性変形を施す以外は、製造装置の大きな改変をしなくとも済むなどの効果が考えられる。
【発明を実施するための最良の形態】
【０００６】  本発明の形態を、図１と図２に示す。本発明は、両面テープの剥離紙の除去を容易にするため、両面テープをロール（符号４）から取り出し、対象物に貼り付けると、剥離紙の端（符号１）が、予め施された弾性変形により、自動的に捲れ上がるようにするが、使用前は、弾性変形は平らに押さえて巻き取り、通常の両面テープと変わらない形態にするのが最良と考える。
【実施例】
【０００７】  請求項１の自動的に剥離紙の端が捲れ上がる両面テープは、予め、剥離紙に、に折り目、または湾曲の弾性変形が与えられ、ロールから取り出して対象物に貼った後は、剥離紙が弾性変形の反発力によって捲れ上がるが、ロール状に巻き取られている状態では、折り目、または、湾曲の弾性変形は、平らに押しつけられ、通常の両面テープと変わらない形状となる。  請求項２の製造に際しては、弾性変形の保持に有利な剥離紙に、加熱されたローラーによって、折り目、または、湾曲の弾性変形を与え、その後で、変形した剥離紙を平らにしながら、粘着材の施された芯材のシートに密着させて巻き取り、製品の幅に裁断するなどの方法が考えられる。
【産業上の利用可能性】
【０００８】  本発明は、除去すべき剥離紙が捲れ上がるため、使用者に扱いやすさを視覚的に訴えることができる他、両面テープを用いる工場生産において、風圧や機械的接触により、剥離紙除去の自動化を容易にすることができる。
【図面の簡単な説明】
【０００９】
【図１】  請求項１にある、折り目による弾性変形で、自動的に剥離紙の端が捲れ上がる両面テープの斜視図である。
【図２】  請求項１にある、湾曲の弾性変形で、自動的に剥離紙の端が捲れ上がる両面テープの斜視図である。
【符号の説明】
【００１０】１  剥離紙の捲れ上がった部分
２  剥離紙の折り目
３  粘着剤付きの芯材
４  両面テープのロール
５  両面テープ貼る、対象物
【図１】
2008156583.tif 000003
【図２】
2008156583.tif 000004
(57)【要約】【課題】  従来、柑橘類の苦味を除去する上の食品原料として行う技術は無く、苦味成分であるナリンギンを得る為の製造技術はあった。しかし、それは柑橘類の組織を利用困難にするものであった。また、その製法はコストが膨大に掛かるものであって、使用する化学反応製品の再生が取れず、廃棄物として処分されていた。【解決手段】  柑橘類の苦味除去処理物を食品やその他に原料として利用供給する事と除去した苦味成分ナリンギンを従来どおり医薬品原料などに利用供給する事を、両立させる為、また、ナリンギン製造に於いても、分離除去製造に掛かる複雑なプラント使用工程を避け、製造コストの軽減を果たす為、単式装置による接触反応を成し、分離の簡素化を求め解決の手段とした。【選択図】図１
2008156328.tif 000002
【特許請求の範囲】
【請求項１】
柑橘類からの苦み成分の除去を目的に、天然柑橘種に対し、炭化物とカリウムを高温高圧内で接触させ、１次結合の後、炭酸ガスにより分離する苦み成分（ナリンギン）分離精製の方法。
【請求項２】
反応に用いる炭化物の反応面を効率良くする為の幾何学的構造に関する基本形状。
【発明の詳細な説明】
【技術分野】
【０００１】  本発明は、柑橘類の苦み成分の除去に関するものであり、非苦味による食品への広範囲利用原料として改質する事を目的に成されたものであり、分離精製した苦味成分ナリンギンは医療界にも重要な物質として高く評価されるもので、両面の利用を可能にした技術である。
【背景技術】
【０００２】    従来、柑橘類の苦み成分の除去に関する技術は、苦味成分の取得を理念に行われており、かんきつ類の残さ物は反応化学物質の固着により全て廃棄されていた。
【発明の開示】
【発明が解決しようとする課題】
【０００３】  しかし、従来の方法では、本体の柑橘類原料が処分され、近代の環境思想に対しては極めて問題視されている。
【課題を解決しようとする手段】
【０００４】  この課題を解決する為の請求項１の発明は、苦味成分ナリンギンの精製と原料である柑橘類の両立を可能とした手段として、離脱目的の結合用化学物質の特定を探り、廃棄物ゼロを目的と手段に据えた技術を構築した事にある。
【０００５】  また、請求項２の発明は、請求項１の発明で使用される接触用の炭化物の形状を、ナリンギンの特性である、左遷性およびプラス電位帯電性を利用し、吸着しやすい様な多枝構造にした手段が用いられた。
【０００６】  更に、ナリンギン離脱後の元原料である柑橘類の有効活用を目的に、自然保有する物質である、アセトアルデヒド（新鮮感の母体物質で、全ての柑橘類に、ごく微量に含まれ、新鮮保持の基本物質である）の保持を助ける為、カリウムの金属特性を利用したアルデヒド金属塩の形成を成す事で、変質を防ぐ手段を取った。
【発明の効果】
【０００７】  本発明により、低コストで、しかも、柑橘類の皮、房、種子からの苦味成分を抽出する事が出来、取り出した苦味成分の利用も医薬原料として幅広く、苦味成分を除去した事による柑橘類の言わば廃棄部分の食品原料としての利用は計り知れない。
【発明を実施するための最良の形態】
【０００８】  図１は、請求項１に関する図で、柑橘類から苦味成分であるナリンギンを抽出除去し更に再結晶を行う一連の反応装置である。実施するための形態は、加熱により分子運動を活発化した状況下、多枝構造の圧縮カーボンを触媒接触させ、塩化カリウム水溶液の蒸散化を状態としてナリンギン塩を形成させ分離する。この時の塩化カリウムの濃度は、水溶液２５％〜２６％で蒸気濃度は８３〜８７％で行う。条件温度は摂氏１２０度、気圧は２．５気圧であり、試料柑橘類は３０メッシュ程度の小片である。【０００９】  これにより、結晶化したナリンギン塩と水溶液にとどまるカリウム金属塩は容易に取り出しが出来る。【００１０】  図２は、請求項２に関する図で、請求項１で反応させる炭化物の構造的形質を図化したものであり突起部分に特徴がある。また、突起形状は不整形であり、別段の特定は無く反応接触面の拡大と炭化物が帯電する反応に不可欠な電気的要素を利用する為の突起が反応理論と成っている。【００１１】  これらの発明は、現存するナリンギン精製の為だけの分離方式と異なり、柑橘類の食品原料としての幅広い利用が可能で、廃棄物も出ない。
【産業上の利用可能性】
【００１２】  苦味の無い柑橘類の皮や種子の食品原料としての使用は、粉末茶、菓子全般、健康飲料ナドの他、浴用剤や家畜用の餌など、広範囲に利用が可能と成り、食生活や健康食社会に、大きく貢献するものと思われる。苦味が故に使用を断念する食品界や生活関連品産業への改革が想定出来る。また、苦味成分にあっても従来のコスト高に比べ、低コスト化も可能な製法である為、医薬品界などへの貢献が考えられる。【００１３】  更に、従来の柑橘類は飲料などに供する場合、残さ物として絞り滓を廃棄していたが全ての利用が可能と成る事で、環境の面からも産業上に意義をもたらす。
【図面の簡単な説明】
【００１４】
【図１】  請求項１の反応装置である。
【図２】  請求項２の炭化物構造を拡大した断面図である。
【符号の説明】
１  柑橘類原料投入口
２  調整弁付き噴霧器
３  炭化物接触域
４  反応液分離フィルター
５  回収液ナリンギン沈殿層
６  再使用循環システムポンプ
７  苦味除去柑橘成分
８  突起形状（三次元不整形）
【図１】
2008156328.tif 000003
【図２】
2008156328.tif 000004
(57)【要約】      （修正有）【課題】スルメの製造時に出る内臓ワタ（ウロ）は、厄介な廃棄物であったが、スルメ塩辛という新商品を開発し、環境を汚さない地球に優しい画期的な一石二鳥の食品を提供する。【解決手段】スルメイカの内臓のワタ（ウロ）に塩をし、水分を抜き、酒で溶いた酒粕で切断したスルメを柔らかくし、水抜きしたイカのワタ（ウロ）と混ぜ食塩を入れ、混ぜてビンか容器に入れる。【効果】スルメを使ったことで今までにない歯応のある食品が得られる。【選択図】なし【特許請求の範囲】
【請求項１】
塩辛の原料にスルメを使用した塩辛である。
【請求項２】
スルメイカの内臓のワタ（ウロ）と酒粕を合せて造った中にスルメを入れた食品である。
【発明の詳細な説明】
【発明の詳細な説明】
【産業上利用分野】
【０００１】  スルメを造る時に内臓のワタ（ウロ）がたくさん出るので、スルメ製造業は廃棄するのに大変な苦労と金がかかるそうであり、生のスルメイカの塩辛は今ではどこにでもあるが、スルメを使った塩辛はいまだどこも造ってないので、産業上内臓のワタ（ウロ）を使用出来るので利用分野が増え、大変便利である。
【背景技術】
【０００２】  従来スルメを製造する時、内臓のワタ（ウロ）の処理に困っていた物が商品となるので、技術的に何ら問題にはならず一石二鳥である。
【発明が解決しようとする課題】
【０００３】  スルメを別商品にする事が、スルメ製造業者の願望でもあり、内臓物が利用出来る事で解決できるのである。
【課題を解決するための手段】
【０００４】  スルメイカの内臓のワタ（ウロ）に塩をし、水分を抜き、酒で溶いた酒粕で切断したスルメを柔らかくし、水抜きしたイカのワタ（ウロ）と混ぜ食塩を入れ、混ぜてビンか容器に入れた食品である。
【発明実施の形態】
【０００５】  今までは開発されていなかった食品で、濃厚で今までにない歯応えのある食品であり、ビンか容器に入れた形態である。
【実施例】
【０００６】従来の塩辛と違い、食感が全く違う新しい食品である。
【発明の効果】
【０００７】  スルメを使った塩辛なので、一村一品、一市一品としてスルメ業者の経済効果は大変なものになる。
【図面の簡単な説明】
【図１】（ア）スルメ  （イ）ワタ（ウロ）  （ウ）酒粕  （エ）酒  （オ）塩  （カ）容器、ビン
【図１】
2008200015.tif 000002
(57)【要約】【課題】田楽豆腐を、炭火でなく電子レンジで加熱する事で中まで熱く柔らかで、冷めても温め直しができる田楽豆腐を、いつでも迅速に提供してコンビニやスーパー等既存の店舖でも容易に田楽豆腐の販売を可能とする。【解決手段】あらかじめ豆腐工場で焼いた焼き豆腐に、あらかじめ焼いた調味ミソを付ける事で、電子レンジで可熱できるので中まで熱く柔らかで、冷めても温め直しができる田楽豆腐を、コンビニやスーパー等既存の店舖でもいつでも迅速に提供販売する事が可能になる。【選択図】なし【特許請求の範囲】
【請求項１】
あらかじめ豆腐工場で焼いた焼き豆腐に、あらかじめ焼いておいた調味ミソを付ける事で、あらためて炭火で焼く必要がなくなるので、電子レンジで加熱して中まで熱く柔らかな田楽豆腐を、いつでも迅速に提供できる事を特徴とする田楽豆腐の製造方法。
【請求項２】
調味ミソを、食用油を加えた鍋であらかじめ焼いておく事で、食味の向上と調理の迅速化ができることを特徴とする田楽豆腐の調味ミソの製造方法。
【発明の詳細な説明】
【技術分野】
【０００１】  本発明は、電子レンジで加熱する田楽豆腐の製造方法に関するものである。
【背景技術】
【０００２】  従来の田楽豆腐は、串に刺した豆腐を炭火で軽く焼いてから調味ミソを付け、再度炭火で焼いていたので時間が掛かり、田楽豆腐の出店などでは待たされる事が多かった。【０００３】  しかも、焦げ過ぎないように中まで熱くする必要から中火で時間をかけて焼くので、乾燥や収縮して固くなる事があった。【０００４】  また、一旦冷めると更に固くなり温め直しても元に戻らない等の問題があった。
【非特許文献１】多田鉄之助担当「万有百科大事典」１３  小学館  １９７５年
【発明の開示】
【発明が解決しようとする課題】
【０００５】  解決しようとする問題点は、田楽豆腐を焼くのに炭火を使うので、焦がさずに中まで熱くするのに人手や時間が掛かり、乾燥や収縮して固くなる等の問題があり、コンビニやスーパー等での販売に不向きだった点である。
【課題を解決するための手段】
【０００６】  本発明は、あらかじめ豆腐工場で焼いた焼き豆腐に、あらかじめ焼いた調味ミソを付ける事であらためて炭火で焼く必要がないので、電子レンジで加熱して中まで熱く柔らかで、冷めても温め直しができる田楽豆腐を、いつでも迅速に提供できる事を特徴とする。
【発明の効果】
【０００７】  本発明の田楽豆腐は、電子レンジで加熱するのでいつでも迅速に提供できる。【０００８】  電子レンジで加熱するので中まで熱く柔らかで、冷めても温め直しができる。【０００９】  豆腐に串を刺す作業と、炭火で焼く作業がなくなるので大巾に省力化できる。
【発明を実施するための最良の形態】
【００１０】  あらかじめ豆腐工場で焼いた焼き豆腐に、あらかじめ焼いた調味ミソを付けて電子レンジで加熱する事で、中まで熱く柔らかな田楽豆腐をいつでも迅速に提供する。【００１１】  食味の向上と調理の迅速化及び若者にも好まれる田楽豆腐とするために、調味ミソは食用油を加えた鍋であらかじめ焼いておく。
【実施例１】
【００１２】  あらかじめ豆腐工場で焼いた焼き豆腐に、あらかじめ焼いた調味ミソを付け準備しておき、田楽豆腐の注文を受けたら電子レンジで加熱して、中まで熱く柔らかな田楽豆腐をいつでも迅速に提供する。
【実施例２】
【００１３】  あらかじめ豆腐工場で焼いた焼き豆腐と、あらかじめ焼いた調味ミソの袋詰めを一組みの商品にする事で、買った人は自宅に持ち帰り電子レンジで加熱できる他、フライパンでも加熱できるので、簡単に田楽豆腐を手造り感覚で楽しむ事ができる。
【産業上の利用可能性】
【００１４】  電子レンジで加熱する田楽豆腐なので、コンビニやスーパーでも既存の設備を変更せずに田楽豆腐の販売が可能になる。【００１５】  一般家庭でも自宅の電子レンジで加熱できる他、フライパンでも加熱できるので、他の食材と合わせる事で応用範囲が大きく広がる。【００１６】  炭火で焼かないので炭火の炉が不用になり、既存のコンビニやスーパーでも売り場スペースを拡張する必要がない、従って初期投資は極めて低く押えられる。
(57)【要約】【課題】従来の捕獲網は外枠部分が金属又は樹脂等で製造されており、外枠の部分に弾力を有する素材ではないため、外枠と床面や壁面との隙間が生じ、対象物が逃げることが多く捕獲率が低かった【解決手段】捕獲網に代表されるネットのネット外枠リング円形の部分をワイヤー等弾力のある材質で作成し、持ち手の棒部分に固定する、この構造により、外枠の首部分が容易に曲がり、捕獲網外枠と床面や壁面との隙間が出来なくなり捕獲率が向上する。この技術の応用により、柄の部分に棒以外のパイプを使用し、ワイヤーの一方を柄の根本まで貫通させて、ワイヤーの一端を引っ張れるように製作することにより外枠の部分を絞り込むことが出来るため、捕獲後も対象の確保が容易となる。【選択図】図１
2008200016.tif 000002
【特許請求の範囲】
【請求項１】
捕獲網に代表されるネットのネット外枠リング円形の部分をワイヤー等弾力のある材質で作成し持ち手の棒部分に固定することにより、斜めの角度から対象を捕獲しようとした場合に捕獲網のネット付け根部分が自由に曲がることにより外枠の隙間から逃げられること無くなり，捕獲が容易になり、損傷も少なく捕獲可能となる。
本発明の応用として、柄の部分にパイプ状の柄で製作し、ワイヤーの一方を柄の下端まで通して製作することにより外枠の部分を絞り込むことが出来、捕獲後も対象の確保が容易になる。
【発明の詳細な説明】
【技術分野】
【０００１】  本発明は捕獲網及び昆虫、水棲生物等用選別等の捕獲率を高め、捕獲時の損傷を低下させる捕獲網を開発したものである
【背景技術】
【０００２】  従来の捕獲網は外枠が金属枠又は樹脂枠のもので、外枠部分に柔軟性を有し捕獲率を高め、対象物の損傷を少なくする物は無かった。
【特許文献１】特許公開２００４−２４０１７
【発明の開示】
【発明が解決しようとする課題】
【０００３】  捕獲網を使用して捕獲の際に網と床面や壁面との隙間を無くし、昆虫や水棲動物等の捕獲率を高めたものである。（図１）
応用として、柄の部分に棒ではなくパイプを使用してワイヤーの一方を通すことにより網の外枠部分を収縮させて確保を容易にすることが出来るものである。（図２）
【課題を解決するための手段】
【０００４】  従来針金、樹脂等で作成されている捕獲網の構造のうち、図において▲１▼は外枠リング円形の部分を示すが、ワイヤー等弾力のある材質で製造する。
捕獲網の図において▲２▼の穴にワイヤーを通し、図において▲３▼部分を針金等で巻きワイヤーを固定する。【０００５】  ワイヤーの両端を柄の部分に固定する製作が容易な方法と柄の部分に図２において柄の素材にパイプ状の棒を使用し、ワイヤーの一端を柄の部分に通し柄の根本まで延長し、図において▲４▼で引っ張れる構造にすることで、図において▲１▼の外枠部分を絞り込むことが可能となり捕獲後の確保が容易になる。
【発明の効果】
【０００６】  上述したように、捕獲網のネット付け根部分が自由に曲がることにより、網の外枠を地面、底面や壁面に密着させることができるので、隙間から逃げられること無くなり捕獲率が高めることができる。
さらに、捕獲網の外枠を絞り込める発展性があり、動きの速い対象物の確保が容易になるものである。
【発明を実施するための最良の形態】
【０００７】  ネット付け根部分が自由に曲がるように加工するには柔軟性を有する樹脂でも作成は可能と判断されるが、耐久性、コスト面、耐久性からワイヤーを使って別添図面の要領で製作することが最も容易であり、応用例として、図において▲４▼のワイヤー端部分を引き外枠を収縮させて外枠を絞り込むことにより、捕獲後の確保が容易な捕獲網の製作も可能である。
【実施例】
【０００８】  発明者は観賞用水棲動物の選別用に捕獲網を制作し、選別作業の効率化に効果を認めた。
【産業上の利用可能性】
【０００９】  捕獲網以外の応用例として、水棲動物の選別等の網に応用することにより、たとえば水槽の上から、底砂の上にとどまる小動物を捕獲する場合にネットの首部分が自由に湾曲することにより、捕獲が容易で損傷も極力少なくできる。【００１０】  柄の部分にパイプを使用し、ワイヤーの一端を図において▲２▼柄の部分に通し、図において▲４▼部分を引っ張れる構造にすることで、外枠部分を絞り込むことが可能となり捕獲後の確保が容易になる発展性もある。
【図面の簡単な説明】
【００１１】
【図１】ワイヤーを外枠に使用した捕獲網構造図
【図２】柄にパイプを使用しワイヤー外枠を絞れるように開発した捕獲網構造図
【図１】
2008200016.tif 000003
【図２】
2008200016.tif 000004
(57)【要約】【課題】従来のモグラ捕りは、モグラの穴を破壊して仕掛けるため、モグラに回避されてしまうことが多かった。また、土中に埋没させるため、仕掛けたままでは、捕獲の有無を確認することが困難であった。【解決手段】枠組１の上部にスプリング２を、中部に展張したスプリングを掛ける可動フック６及び固定フック７を、下部にスプリングと連結できる環状の罠１２を取り付け、罠の前方に、押されると可動フックを解放させるセンサー９を備えたモグラ捕りを準備する。このモグラ捕りを露出させたモグラの穴に当て、センサーを罠受け１０に当るまで回して、その下にモグラの穴と連続して罠を通ってセンサーの前方に至る穴を補助具の丸棒を使って人為的に復元する。そこでセンサーを垂直にすることによりセンサーを穴の中に設定する。こうすることにより、モグラの回避行動を極限し、捕獲の確度を高める。また、スプリングは地上に位置するため、伸縮の状態によって、仕掛けたままで捕獲の有無を視認できる。【選択図】図１
2008200019.tif 000002
【特許請求の範囲】
【請求項１】
枠組の上部にスプリングを、中部に展張したスプリングを掛けるフックを、下部にスプリングに連結できる環状の罠を取り付け、罠の前方に、押されるとフックを解放させるセンサーを備えたモグラ捕り。
【請求項２】
モグラの穴の外縁部に、穴と直交する軸を設定し、この軸にアームを取り付け、アームの一端が穴の中心となる部位はモグラの進行の妨げとなる形状とし、この部位を押す動きをモグラの動きとして他端から出力する請求項１記載のセンサー。
【発明の詳細な説明】
【技術分野】
【０００１】  本発明は、モグラ捕獲の確度を高めたモグラ捕りに関する。
【背景技術】
【０００２】  従来のモグラ捕りは、挟む型、閉じ込める型など、何れもモグラの穴を破壊したまま土中に埋没させて仕掛けるものである。
【発明の開示】
【発明が解決しようとする課題】
【０００３】  以上に述べた従来のモグラ捕りでは、モグラに回避されてしまうことが多い。また、捕獲の有無について視認性に欠ける。【０００４】  本発明は、モグラの回避行動を極限することによって、捕獲の確度を高めるとともに、仕掛けたままで捕獲の有無を視認できるようにすることを目的とするものである。
【課題を解決するための手段】
【０００５】  本発明は、上記目的を達成するために、枠組の上部にスプリングを、中部に展張したスプリングを掛けるフックを、下部にスプリングと連結できる環状の罠を取り付け、罠の前方に、押されるとフックを解放させるセンサーを備えたモグラ捕りを提供するものであり、仕掛けに際しては、罠を通るモグラの穴を復元し、その穴の中にセンサーを設定できること及びスプリングを、動きが視認できるよう、地上に配置することによって上記課題を解決したものである。
【発明の効果】
【０００６】  以上のように、請求項１の発明によれば、モグラ捕りを仕掛けたときには、モグラの穴は復元されていて、センサーのみ穴の内部に突起しているが、センサーは押せば前方に退くため、モグラがモグラ捕りを回避する行動を極限し捕獲の確度を高める。さらに、地上にあるスプリングの伸縮の状態から、モグラ捕獲の有無を視認できる。【０００７】  また、モグラ本来の穴の中にセンサーなど設定することが困難であるところ、請求項２記載の発明によれば、センサーを後方一杯に回転させて、その下に、一旦破壊した穴を復元し、復元した穴の中央までセンサーを戻すことにより可能となる。中央から前方へのセンサーの動きは、モグラの前進として、軸回りに出力できる。
【発明を実施するための最良の形態】
【実施例】
【０００８】  本発明のモグラ捕りは、図１に示されるように、枠組１の上部にスプリング２を取り付け、スプリングの下端にはスプリング掛け３を取り付けてある。枠組の中部には、上下にマウントを有するベース４を固定し、上部マウント５には可動フック６を、下部マウント８にはセンサー９をそれぞれの軸によって取り付けてある。可動フックの高さに合わせて固定フック７が固定してある。枠組の下部には、内側に溝を切った環状のガイド１１を有する罠受け１０が固定してあり、罠受けには、連結用のチェーン１３を有する環状の罠１２が装着されている。仕掛ける過程でセンサーの作動範囲を制限するため、リミッター１４がベースに取り付けられている。【０００９】  仕掛け方は、モグラ捕りのスプリング掛け３を引いて可動フック６と固定フック７の間に掛ける。罠１２のチェーン１３をスプリング掛けと連結し、罠をガイド１１の溝に納める。モグラ捕りの他に、長さが約１５センチメートルで太さが約４センチメートルの丸い棒又は筒を補助具として準備する。モグラの穴を露出し、仕掛ける側の穴にガイドを合わせて密着させる。リミッター１４を開き、センサー９を罠受けに当るまで回す。ガイドの下辺を土で覆い見えなくし、その上からモグラの穴に丸い棒の一端を差し込む。棒の周囲を、ベース４の下辺りまで土をかけて押し固める。センサー前方５センチメートル程度まで押し固めたら、棒を抜き取り、開口部は上をかけて塞ぐ。センサーを垂直位置まで戻し、センサーの上部を可動フックの下部と軽く接触させ、リミッターを閉じて仕掛けは完了する。本モグラ捕りを、切開したモグラの穴の両側にそれぞれ仕掛けると、捕獲を更に早めることがある。【００１０】  本発明の動作について、モグラがガイド１１に納まった罠１２の前方に頭と前足を出した所で、センサー９が邪魔になり押すと、センサー下部は前方に動き、上部は可動フック６の下部を押す。同時に可動フックはスプリング掛け３を解放し、スプリング２が罠を引き上げ罠受け１０との間にモグラを締めて捕獲に至る。また、地上部にあるスプリングの伸縮の状態によって、仕掛けたままで捕獲の有無を視認できる。
【図面の簡単な説明】
【００１１】
【図１】本発明の実施形態を示すモグラ捕りの立面図
【図２】本発明の実施形態を示すモグラ捕りの縦断面図
【符号の説明】
【００１２】    １  枠組    ２  スプリング    ６  可動フック    ７  固定フック    ９  センサー  １０  罠受け  １２  罠
【図１】
2008200019.tif 000003
【図２】
2008200019.tif 000004